(57)【特許請求の範囲】
【請求項１】
底面と四側面を備え、多数積み上げると一方向に傾斜した状態になる帳票を堆積状態で収納するとともに、収納した帳票の傾斜状態を調整すべく下降端側を上昇させるように支持する基礎支持部材を底面に配置してなり、前記基礎支持部材は、断面三角形状で、該三角形状の３頂点のうち三角形の底辺両端となる２頂点の一方が前記帳票の下降端とは反対側端に対応位置し、前記２頂点の他方と残りの１頂点が前記帳票の中央より下降端側に対応位置することを特徴とする帳票収納箱。
【請求項２】
基礎支持部材を、堆積方向ほぼ中央に位置する帳票がほぼ水平となるように支持すべく高さ調節可能に構成した請求項１記載の帳票収納箱。
【請求項３】
四側面のうち少なくとも一面を、開閉可能に構成した請求項１記載の帳票収納箱。
【発明の詳細な説明】
【０００１】
【発明の属する技術分野】
本発明は、連続帳票または単片帳票を多数積み上げた堆積状態で収納する帳票収納箱に関し、特に、多数積み上げると一方向に傾斜した状態になる帳票を収納するのに適した帳票収納箱に関する。
【０００２】
【従来の技術】
従来から、連続帳票をジグザグ状に折り畳んで積み上げると、堆積量の増加にともなって折り部端の厚みが累積し、中央部分がＵ字状に大きくへこんだ状態になって、堆積状態が不安定になることは知られている。この対策として従来は、折り畳んだ連続帳票の載置台に、帳票の中央部分を上昇するように支持する支持部材を設けている。
【０００３】
ところが、図４に示すようなラベル１０１を一端側に設けた単位帳票１０２を折り兼切り用ミシン目１０３で多数連接してなる連続帳票１００の場合には、前記折り兼切り用ミシン目１０３でジグザグ状に折り重ねて、多数積み上げると、堆積量の増加にともなって、ラベル１０１部分の厚みが累積することにより、図５に示すように、一方向に傾斜した状態、すなわち図５上右肩上がりに傾斜した状態になる。また、この傾斜状態は、ラベル１０１を一端側に設けた単片帳票（折り兼切り用ミシン目１０３を破断した単位帳票１０２に対応）を、前記ラベル１０１が上下に対応するように積み重ねた場合にも生ずるものである。
【０００４】
【発明が解決しようとする課題】
そして、この一方向に傾斜した堆積状態は、中央部分がＵ字状に大きくへこんだ堆積状態とは異なるので、従来のように帳票の中央部分を上昇させるよう支持する支持部材で調整することはできない。また、従来の支持部材は、帳票の中央部分をアール状に上方に突出させるために、断面が円形に形成されているのが一般的であり、帳票における支持部分の両側が急激に下降する状態になるので、堆積した帳票の一方端側である下降端側を上昇させるように支持するには適していない。
【０００５】
一方、底面と四側面を備えた一般的な帳票収納箱に、図５に示す傾斜状態の帳票を何らの支持部材もなしに収納すると、互いの大きさが一致しないと堆積状態を崩さずに収納することが困難であるほか、この帳票をプリントなどの用紙処理装置に供給する際に、帳票が傾斜しているため帳票収納箱から円滑に取り出して供給することができないという不都合を生じる。また、従来の底面と四側面を備えた一般的な帳票収納箱は、全側面が完全な閉鎖状態にあるので、特に連続帳票を帳票収納箱から連続的に引き出す場合の空気抵抗が大きく、引き出し動作を容易かつ円滑になし得ないという不都合もある。本発明は、このような不都合を解消した帳票収納箱を提供することを目的とする。
【０００６】
【課題を解決するための手段】
この目的を達成するために本願の請求項１に記載した帳票収納箱は、底面と四側面を備え、多数積み上げると一方向に傾斜した状態になる帳票を堆積状態で収納するとともに、収納した帳票の傾斜状態を調整すべく下降端側を上昇させるように支持する基礎支持部材を底面に配置してなり、前記基礎支持部材は、断面三角形状で、該三角形状の３頂点のうち三角形の底辺両端となる２頂点の一方が前記帳票の下降端とは反対側端に対応位置し、前記２頂点の他方と残りの１頂点が前記帳票の中央より下降端側に対応位置するものである。
【０００７】
また、同じくこの目的を達成するために本願の請求項２に記載した帳票収納箱は、上述した請求項１記載の基礎支持部材を、堆積方向ほぼ中央に位置する帳票がほぼ水平となるように、換言すると、堆積方向ほぼ中央に位置する帳票に対してほぼ面対称となるように、堆積状態の帳票を支持すべく高さ調節可能に構成したもので、例えば、基礎支持部材の折り位置を変えて、断面三角形の高さを変えることにより、高さ調節可能に構成する。
【０００８】
さらに、同じくこの目的を達成するために本願の請求項３に記載した帳票収納箱は、上述した請求項１記載の四側面のうち少なくとも一面、好適には隣接する二面を、開閉可能に構成したものである。
【０００９】
【発明の実施の形態】
以下、本発明の好適な実施形態を添付図面の図１〜図５に基づいて詳細に説明する。ここにおいて、図１は帳票未収納状態を示す帳票支持部材の一部を省略した帳票収納箱の斜視図、図２は帳票の収納状態を示す説明図、図３は帳票収納状態を示す帳票収納箱の斜視図、図４は収納対象となる連続帳票の一例を示す斜視図、図５その堆積時の傾斜状態を示す側面図である。
【００１０】
図１に示すように、帳票収納箱１は、段ボールからなり、底面１ａと、後側面１ｂと、左側面１ｃと、右側面１ｄと、前側面左部１ｅと、前側面右部１ｆと、補助前側面１ｇとを備えている。前記前側面左部１ｅと前記前側面右部１ｆとで、前記後側面１ｂに対向する前側面を形成し、前記右側面１ｄと、前記前側面左部１ｅと、前記前側面右部１ｆとは、前記底面１ａに対して分離した非連続状態にあって、右側面１ｄとこれに隣接する前側面１ｅ，１ｆとが開閉可能となっている。
【００１１】
帳票収納箱１は、多数積み上げると堆積量の増加にともなって一方向に傾斜した状態（図５参照）になる帳票、例えば図４に示す一端側にラベル１０１を設けた単位帳票１０２を折り兼切り用ミシン目１０３を介して多数連接してなる連続帳票１００を、前記折り兼切り用ミシン目１０３でジグザグ状に折り畳んだ堆積状態で収納するもので、底面１ａ上には、堆積した連続帳票１００の傾斜状態を調整すべく、帳票の幅方向のほぼ半分に対応する下降状態の一端側を上昇させるように支持する帳票支持部材２を載置している。
【００１２】
図１及び図２に示すように、この帳票支持部材２は、段ボールなどの厚紙を断面三角形状に折り曲げてなる、底面部分の広い第１基礎支持部材２ａ及び二等辺三角形状の第２基礎支持部材２ｂと、これら各基礎支持部材２ａ，２ｂの上に載置して堆積した連続帳票１００を支持する段ボールなどの厚紙からなる載置支持部材２ｃ（図１では省略）とからなる。前記各基礎支持部材２ａ，２ｂは、折り位置を変えることによって断面三角形の形状を変更可能であり、この形状変更により高さ調節が可能である。なお、前記載置支持部材２ｃは、場合によっては設けなくてもよい。
【００１３】
続いて上述した帳票収納箱１の使用法を説明する。まず、折り兼切り用ミシン目１０３で折り畳んで積み上げた収納対象の連続帳票１００の傾斜に合わせて、各基礎支持部材２ａ，２ｂの高さ調節を行っておく。この各基礎支持部材２ａ，２ｂの高さ調節は、上述のように、折り位置を変えて断面三角形の高さを変更することにより行うもので、図２に示すように、支持する堆積状態にある連続帳票１００の堆積方向ほぼ中央である二点鎖線Ｐに対応する位置にある単位帳票１０２がほぼ水平となるように、換言すると、堆積方向ほぼ中央である二点鎖線Ｐに対応する単位帳票１０２に対してほぼ面対称な堆積状態になるように行う。
【００１４】
すなわち、第１基礎支持部材２ａの最高位置が連続帳票１００の幅方向中央部から第２図上やや左側に寄った位置にあり、第２基礎支持部材２ｂの最高位置が前記第１基礎支持部材２ａの最高位置よりもやや低い位置にあって、堆積状態にある連続帳票１００の最上位と、最下位との表出面は、緩いアール状に幅方向中央部分でややへこんだ状態でほぼ対称的になるようにする。このように設定すると、最上面から最下面に至る過程での傾斜の変化が少なくなるので、連続帳票１００を連続的に引き出す動作を確実かつ円滑にできる。
【００１５】
なお、堆積状態にある連続帳票１００の最上位面がほぼ水平になるように各基礎支持部材２ａ，２ｂの高さ調節を行うと、連続帳票１００の支持状態は、図５の上下が反対になった状態になるので、連続帳票１００の引き出し動作が進んで、下面に行くにしたがって傾斜がきつくなり、円滑な引き出し動作に支障をきたして、折り兼切り用ミシン目１０３が破断したり、送りローラやガイド部材に引っかかるなどの事態を生ずる虞がある。
【００１６】
このように各基礎支持部材２ａ，２ｂの高さ調節をしたうえ、前側面左右部１ｅ，１ｆ、右側面１ｄ、補助前側面１ｇを開放した状態（図１参照）として、堆積状態にある連続帳票１００を載置支持部材２ｃ上に載置すると、連続帳票１００は図２状態で支持されて帳票収納箱１内に安定的に収納される。この連続帳票１００の収納に際しては、隣接する二側面が開放されているので、大量の連続帳票１００でも、堆積状態を維持したまま容易に行える。
【００１７】
連続帳票１００をプリンタなどの適宜な処理装置に供給するには、上述の収納状態において、前記連続帳票１００を開放状態にある上方あるいは前方に引き出して、処理装置の移送機構にセットして移送すればよい。ここで、帳票収納箱１の二側面が開放されているので、移送の際に前記連続帳票１００は、大きな空気抵抗を受けることがなく帳票収納箱１から順次連続的に、円滑に引き出されて適宜な処理装置に供給されていく。
【００１８】
一方、連続帳票１００を帳票収納箱１内に保管する場合には、好ましくは防湿用のシートで前記連続帳票１００を包んだうえ、開放状態にある前側面左右部１ｅ，１ｆ、右側面１ｄを閉鎖状態とし、さらに、前記前側面左右部１ｅ，１ｆに重ねて、同じく開放状態にある補助前側面１ｇを閉鎖状態として、開放上面に上蓋３を被せると、図３に示すように、前記帳票収納箱１は閉鎖状態となって、通常の収納箱と同様に取り扱うことができる。
【００１９】
なお、本発明は上述した実施形態に限定されるものではなく、例えば、帳票収納箱１に収納する帳票は、連続帳票１００に限らず、単片帳票でもよい。また、帳票収納箱１は、その開放可能な側面を、隣接する二面に限らず、一面のみに設定しても、収納及び取り出し動作の容易性は確保できる。さらに、帳票支持部材２としては、載置支持部材２ｃは必ずしも必要でないほか、基礎支持部材２ａ，２ｂを二つ配置することで、堆積状態にある帳票をその堆積方向ほぼ中央に位置する帳票がほぼ水平となるよう支持するための高さ調節が容易となるが、基礎支持部材２ａのみで帳票支持部材２を構成することも可能である。またさらに、補助前側面１ｇと上蓋３は、必ずしも必要でない。
【００２０】
【発明の効果】
以上説明したところで明らかなように、本発明の請求項１に記載した帳票収納箱によれば、堆積状態で一方向に傾斜する帳票を、堆積状態を崩すことなく収納できるとともに、帳票収納箱からの帳票取り出し動作も円滑になされるという効果を奏する。
【００２１】
また、本発明の請求項２に記載した帳票収納箱によれば、堆積状態で一方向に傾斜する帳票を、堆積状態を崩すことなく収納できるとともに、帳票収納箱からの帳票取り出し動作も、最上位の帳票から最下位の帳票まで傾斜の変化が少ないので、動作開始から終了まで常に、円滑かつ確実になされるという効果を奏する。
【００２２】
さらに、本発明の請求項３に記載した帳票収納箱によれば、堆積状態で一方向に傾斜する帳票を、堆積状態を崩すことなく収納できるとともに、四側面の少なくとも一面を開放可能なので、収納動作及び取り出し動作を容易に行うことができるほか、連続帳票の連続的な引き出し動作も、大きな空気抵抗を受けることなく、円滑かつ確実になされるという効果を奏する。
【図面の簡単な説明】
【図１】  帳票未収納状態を示す帳票支持部材の一部を省略した帳票収納箱の斜視図。
【図２】  帳票の収納状態を示す説明図。
【図３】  帳票収納状態を示す帳票収納箱の斜視図。
【図４】  収納対象となる連続帳票の一例を示す斜視図。
【図５】  堆積した連続帳票の傾斜状態を示す側面図。
【符号の説明】
１      帳票収納箱
１ａ      底面
１ｂ      後側面
１ｃ      左側面
１ｄ      右側面
１ｅ      前側面左部
１ｆ      前側面右部
１ｇ      補助前側面
２      帳票支持部材
２ａ      第１基礎支持部材
２ｂ      第２基礎支持部材
２ｃ      載置支持部材
１００      連続帳票
１０１      ラベル
１０２      単位帳票
１０３      折り兼切り用ミシン目
【図１】
0003810253.tif 000002
【図２】
0003810253.tif 000003
【図３】
0003810253.tif 000004
【図４】
0003810253.tif 000005
【図５】
0003810253.tif 000006